(57)【要約】  【課題】バー表示部の発光を共通の発光部により行わせ得る車両用メータを提供する。  【解決手段】車両状態に関連する変量を棒グラフ表示する透光性のバー表示部が文字板に設けられ、バー表示部の裏面に発光部が設けられることにより、変量の増減に応じて発光するバー表示部の長さが増減する。この発光部が、表面をバー表示部に対面する光照射面１１として形成され、かつその始端をバー表示部の始端から終端まで移動させるようにステップモータ２１で駆動される可動式導光体１０と、位置固定の発光ダイオード２8，２９とを備え、可動式導光体１０に、その移動範囲で発光ダイオード２8，２９により投光される光導入部が形成されている。  【選択図】図１
2005147742.tif 000002
【特許請求の範囲】
【請求項１】
車両状態に関連する変量を棒グラフ表示する透光性のバー表示部が文字板に設けられ、バー表示部の裏面に発光部が設けられることにより、変量の増減に応じて発光するバー表示部の長さが増減するようになった車両用メータにおいて、
発光部が、表面をバー表示部に対面する光照射面として形成され、かつその始端を前記バー表示部の始端から終端まで移動させるようにモータ駆動される可動式導光体と、位置固定の光源とを備え、前記可動式導光体に、その移動範囲で前記光源により投光される光導入部が形成されたことを特徴とする車両用メータ。
【請求項２】
バー表示部及び可動式導光体が互いに同心円弧形状であり、その円弧中心点を中心に回転するように、前記可動式導光体の周面がモータ駆動されることを特徴とする請求項１記載の車両用メータ。
【請求項３】
バー表示部が透光性のセグメントを棒状に配列して形成され、可動式導光体が変量に応じてセグメントステップで回転するモータで駆動されることを特徴とする請求項１又は請求項２記載の車両用メータ。
【発明の詳細な説明】
【技術分野】
【０００１】
本発明は、車両状態に関連する変量を棒グラフ表示する透光性のバー表示部が文字板に設けられ、バー表示部の裏面に発光部が設けられることにより、変量の増減に応じて発光するバー表示部の長さが増減するようになった車両用メータに関するものである。
【背景技術】
【０００２】
特許文献１等により、プリズムにより発光体から導光されることにより、回転式の指針を発光させるメータは周知であり、例えば車両のタコメータとしても用いられている。この場合、コンビネーションメータとして他のメータ、例えば数値表示のスピードメータと組合わせる場合、その指針の回転中心領域を利用することはできない。一方、特許文献２等により、裏面にそれぞれ発光ダイオードが付属したセグメントを配列したバー表示部を備えたメータも周知であり、また特許文献３よれば、同様な円弧状のバーグラフ表示部を備えると共に、その円弧中心領域に別のメータを配置するコンビネーションメータも周知となっている。
【特許文献１】特開平１０−２８１８２３号公報
【特許文献２】特開平１０−５９０１６号公報
【特許文献３】特開２００２−３６２４６０号公報
【発明の開示】
【発明が解決しようとする課題】
【０００３】
しかしながら、セグメントの各裏面に発光部を配置する場合、特に各セグメントを見易い大きさにしようとすると、必要な発光ダイオードの個数が多くなり、付属の発光制御回路も複雑になると共に回路基板上の占有面積も大きくなり、さらにコスト的にも問題が残される。
【０００４】
本発明は、このような点に鑑みて、バー表示部の発光を共通の発光部により行わせ得る車両用メータを提供することを目的とする。
【課題を解決するための手段】
【０００５】
本発明は、この目的を達成するために、請求項１により、車両状態に関連する変量を棒グラフ表示する透光性のバー表示部が文字板に設けられ、バー表示部の裏面に発光部が設けられることにより、変量の増減に応じて発光するバー表示部の長さが増減するようになった車両用メータにおいて、発光部が、表面をバー表示部に対面する光照射面として形成され、かつその始端をバー表示部の始端から終端まで移動させるようにモータ駆動される可動式導光体と、位置固定の光源とを備え、可動式導光体に、その移動範囲で光源により投光される光導入部が形成されたことを特徴とする。
【０００６】
可動式導光体の光照射面の始端がバー表示部の始端から変量の増加に伴って移動すると共に、常時光源で投光されていることにより、その光照射が可動式導光体を光照射面に向けて導光されて円弧もしくは非円弧状のバー表示部の発光領域が長くなる。
【０００７】
円弧状バー表示部に対して、発光部を円弧中心領域を回避して構成するには、請求項２により、バー表示部及び可動式導光体が互いに同心円弧形状であり、その円弧中心点を中心に回転するように、可動式導光体の周面がモータ駆動される。セグメント単位で棒グラフ表示を行うには、請求項３により、バー表示部が透光性のセグメントを棒状に配列して形成され、可動式導光体が変量に応じてセグメントステップで回転するモータで駆動される。
【発明の効果】
【０００８】
請求項１の発明によれば、バー表示部の全域にＬＥＤ等の発光体を配列することなく、可動の導光体と位置固定の共通の光源とにより発光可能となることにより、回路構成が簡単になり、回路基板の占有面積も小さくして充分な大きさ・輝度を確保でき、コスト的にも有利となる。
【０００９】
請求項２の発明によれば、円弧状バー表示部の円弧中心領域が空き、コンビネーションメータとして組込む際に、その空き領域に他のメータを配置することもできる。請求項３の発明によれば、モータのステップ制御によるセグメント単位の棒グラフ表示が可能となる。
【発明を実施するための最良の形態】
【００１０】
図１乃至図３を基に本発明の実施の形態による車両用コンビネーションメータを説明する。図２に示すように、このコンビネーションメータ９は、バー表示部２を有する燃料計３、バー表示部８を有するタコメータ４、バー表示部５を有する水温計６と、数値表示部７ａを有するスピードメータ７とが車両用メータとして組合わされている。即ち、バー表示部２，５，８は、共通の文字板１に互いに遮光された透光性シートのセグメントを配列して構成され、回路基板９ａには、所属のステップモータ３ａ，６ａ，２１をそれぞれ有する発光部が、放電管もしくは液晶式のスピードメータ７と共に取付けられている。
【００１１】
図１は、このうちの円弧棒状のセグメント８ａを有するタコメータ４について説明するもので、変量であるエンジン回転速度の増減に応じて発光するセグメント８ａの個数を逐次増減させる発光部が、表面をセグメント８ａに対面させる光照射面１１として形成された透光性の合成樹脂、例えばアクリルで一体に形成された円弧形状の可動式導光体１０と、この導光体に投光を行う位置固定の光源としての発光ダイオード２8，２９とを備え、可動式導光体１０には、セグメント８ａに沿って移動させるステップモータ２１を用いた導光体駆動手段２０が付属している。
【００１２】
可動式導光体１０はバー表示部８と互いに同心円弧形状であり、全てのセグメント８ａに対面し得るように、僅かに広めの半径方向の幅を有すると共に、表面は透光性を伴うと共に散乱反射を行うようになし地状に形成され、内周面、端面及び外周面の一部は遮光塗膜が形成されている。また、可動式導光体１０は、裏面及び外周面が光導入部として機能すると共に、移動終端領域でも光導入が行われるように、同一円弧半径でバー表示部８よりも長くする延長部１０ａが形成されている。
【００１３】
導光体駆動手段２０は、可動式導光体１０の円弧中心点Ｏに対して同心円弧形状に形成され、かつ可動式導光体１０を載置させて滑動させるように回路基板９ａに支持されたガイド板２５を備えている。その内周部には、内周面及び外周面に凹状のガイド溝２６ａ，２６ｂが形成された同心円弧状のガイドレール２６が設けられている。対応して、可動式導光体１０の内周面には、ガイド溝２５ａ，２５ｂに係入する凸状の係合部１５ａ，１５ｂを備えたスライドアーム１５が突設されている。ステップモータ２１は、バー表示部８の下流寄りの領域に配置され、そのシャフト２２には可動式導光体１０の外周面に圧接するゴム製のブッシュ２３が装着されている。
【００１４】
発光ダイオード２８は、可動式導光体１０の外周面の非遮光領域に投光するように、回路基板９ａに取付けられたアーム２８ａにより、ステップモータ２１の側方に位置するように支持されている。さらに、その上流寄りの回路基板９ａには光導入部として機能する裏面に投光する発光ダイオード２９が取付けられている。
【００１５】
ステップモータ２１には、変量の所定の増分ごとにセグメント８ａの円弧角づつステップ状に回転させるパルス信号を出力する回転制御回路が付属し、回路基板９ａに設けらている。
【００１６】
このように構成されたタコメータ４の動作は次の通りである。速度がゼロの状態で、可動式導光体１０の始端がセグメント８ａの始端を占め、可動式導光体１０は裏面及び外周面に投光され、その照射光は内部で拡散し、また表面で透光及び散乱反射されつつ導光され、光照射面１１としての表面全域から光照射を行う(図３Ａ)。エンジンの始動により計測された変量が、所定のステップ単位で増大するごとにステップモータ２１は可動式導光体１０をセグメント８ａの幅だけ回動させる。これにより、バー表示部８の発光するセグメント８ａの個数が始端から順に増大し、円弧状に棒グラフ表示が行われる。図３Ｂに示す状態を経過して、所定の高速状態で全てのセグメント８ａが発光し、減速に伴って、逆にバー表示部８の終端から順にセグメント８ａが消灯する。
【００１７】
扁平状のスピードメータ７は、セグメント８ａの円弧中心領域に侵入した状態で、文字板１の裏面で回路基板９ａに取付けられ、車速の数値表示を行い、燃料計３のバー表示部２及び水温計６のバー表示部５も同様な構成で変量を円弧状の棒グラフ表示を行う。
【００１８】
図４は別の実施の形態による車両用メータを示す。円弧状より僅かにずれた曲線状のバー表示部３０に対応して、可動式導光体３５はほぼ円弧状の光照射面３１の始端領域は幅広に形成されると共に、可動式導光体３５の円弧形状領域と同心状の扇形に形成された光導入部３２が一体に形成され、その円形状の基端部３２ａが円弧中心点Ｏを中心にモータ駆動される。基端部３２ａの裏面が光源３３で光照射されることにより、光導入部３２を透光して光照射面３１に向けて可動式導光体３５で導光される。モータの連続回転によりバー表示部３０の発行領域が棒グラフ状に広がり、円弧からずれる終端領域に対しても幅広形状により光照射が行われる。バー表示部３０はセグメントで形成して、ステップモータによるセグメントステップで可動式導光体３５を移動させることもできる。
【００１９】
同図Ｂは直線状にセグメントが配列されたバー表示部４０に対する発光部を示すもので、可動式導光体４２に付属する導光体駆動手段として、バー表示部４０に沿って裏側に配列されたガイドレール４１に可動式導光体４２がスライド可能に係合し、その側面に設けられたラック４５がステップモータ４４で駆動されるピニオン４６により駆動される。可動式導光体４２は、光導入部としての周面及び裏面から位置固定の光源４９，４９ａで投光されることにより、バー表示部４０の裏面に対面可能な表面の光照射面４８に向けて導光する。同様にセグメントを備えない連続したバー表示部を変量に応じて連続的に発光させることができる。
【図面の簡単な説明】
【００２０】
【図１】本発明の実施の形態による車両用メータであるタコメータの要部を示すもので、同図Ａはその発光部の斜視図、同図Ｂはその部分断面図である。
【図２】同タコメータを含むコンビネーションメータを示すもので、同図Ａはその正面図、同図Ｂはその概略断面図である。
【図３】同タコメータの動作を説明する平面図である。
【図４】別の実施の形態による発光部の構成を示す概略平面図である。
【符号の説明】
【００２１】
１  文字板
２，５，８，３０，４０  バー表示部
３ａ，６ａ，２１，４４  ステップモータ
４  タコメータ
７  スピードメータ
８ａ  セグメント
９  コンビネーションメータ
９ａ  回路基板
１０，３５，４２  可動式導光体
１１，３１，４８  光照射面
２６，４１  ガイドレール
２8，２９  発光ダイオード
３２  光導入部
３３，４９，４９ａ  光源
【図１】
2005147742.tif 000003
【図２】
2005147742.tif 000004
【図３】
2005147742.tif 000005
【図４】
2005147742.tif 000006